(57)【要約】【課題】ユニットルームの壁パネル・天井パネルと窓との接続部分を連続性及び外観性に優れた納まり構造にでき、しかも任意の大きさのサッシ枠に対応可能とし、さらに窓の取り付け誤差を容易に吸収する。【解決手段】一方の縦枠部７がユニットルーム３の一方の壁パネル１０の延長線上に位置し、上枠部６がユニットルーム３の天井パネル１１の延長線上に位置する。一方の縦枠部７と一方の壁パネル１０との隙間、及び、上枠部６と天井パネル１１との隙間を、化粧カバー１２（１３）で連続的に覆う。化粧カバー１２,１３の背後に、サッシ枠５側に固定される固定部１６と、化粧カバー１２（１３）を取り付けるカバー取付け部１７と、一方の壁パネル１０の端部１０ａ又は天井パネル１１の端部１１ａのいずれか一方を嵌め込むパネル嵌込み部１８とを一体に備えた化粧カバー受材１４,１５を設ける。【選択図】図１
2011006931.tif 000002
【特許請求の範囲】
【請求項１】
建物躯体に取り付けられる窓からの屋外光を、建物躯体内に構築されるユニットルームに設けた窓開口部を介してユニットルーム内部に導入するようにしたユニットルームと窓との接続構造であって、上記窓のサッシ枠を構成する上枠部と左右の縦枠部と下枠部のうち、少なくとも左右いずれか一方の縦枠部が、ユニットルームの窓開口部が設けられる窓側壁面部を挟んで相対向する左右の壁パネルのいずれか一方の壁パネルの延長線上に位置し、且つ上枠部が、ユニットルームの窓側壁面部の上方に位置する天井パネルの延長線上に位置するように、上記窓開口部が窓側壁面部の所定位置に形成されており、上記一方の縦枠部と一方の壁パネルとの隙間を連続的に覆う縦長状の壁側の化粧カバーと、上記上枠部と天井パネルとの隙間を連続的に覆う横長状の天井側の化粧カバーとをそれぞれ設けると共に、上記壁側及び天井側の各化粧カバーの背後にそれぞれ、サッシ枠側に固定される固定部と、化粧カバーを取り付けるカバー取付け部と、化粧カバーで覆われた一方の壁パネルの端部又は天井パネルの端部のいずれか一方が嵌め込まれるパネル嵌込み部とを一体に備えた化粧カバー受材を設けてなることを特徴とするユニットルームと窓との接続構造。
【請求項２】
上記化粧カバーの室内側の縁部に、上記一方の壁パネル又は天井パネルのいずれか一方のパネル表面に弾性的に押接される覆い片を形成し、化粧カバーのサッシ枠側の縁部に、縦枠部又は上枠部のいずれか一方と面一状に連続する連続片を形成したことを特徴とする請求項１記載のユニットルームと窓との接続構造。
【発明の詳細な説明】
【技術分野】
【０００１】
本発明は、ユニットルームと窓との接続構造に関し、詳しくは建物躯体に構築した窓のサッシ枠を建物躯体内に構築されるユニットルームの壁パネル・天井パネルに接続する構造に関するものである。
【背景技術】
【０００２】
建物躯体の外壁に取り付けられる窓と、建物躯体内に構築される浴室の窓開口部とを角筒状をした接続枠を用いて接続する構造が一般に知られている。
【０００３】
その一例として、建物躯体に取り付けた窓のサッシ枠の各内側面と、浴室内の相対向する左右の各側壁面とをそれぞれ、略同一面内に位置するように接続した構造が知られている（例えば、特許文献１参照）。
【０００４】
ところが、上記特許文献１に示される従来例にあっては、窓の大きさが浴室の内寸巾と同じ大きさに限定され、任意の大きさの窓を浴室に接続できないという問題がある。また浴室内の相対向する各側壁面とサッシ枠の各内側面とを接続するに当たっては、断面コ字状をした接続枠を用いて接続しているが、浴室の天井面とサッシ枠の上枠部とは同一面内となっておらず、不連続さが生じているため見栄えを悪くするという問題がある。さらに窓を建物躯体の外壁に取り付ける際に取り付け精度に誤差が生じやすく、それが原因でサッシ枠の各内側面を浴室の各側壁面と同一面内に納めることが困難となり、この場合、窓の取り付け誤差を吸収する構造が別途必要になるという問題もある。
【先行技術文献】
【特許文献】
【０００５】
【特許文献１】特開２００４−１６２２７２号公報
【発明の概要】
【発明が解決しようとする課題】
【０００６】
本発明は上記の従来の問題点に鑑みて発明したものであって、その目的とするところは、ユニットルームの壁パネル・天井パネルと窓との接続部分を連続性及び外観性に優れた納まり構造にでき、しかも任意の大きさの窓に対応可能となり、そのうえ窓の取り付け誤差を容易に吸収できるようにしたユニットルームと窓との接続構造を提供することにあり、さらに建物内部への水の浸入を化粧カバーにて確実に防止できるようにしたユニットルームと窓との接続構造を提供することにある。
【課題を解決するための手段】
【０００７】
前記の課題を解決するために、本発明は、建物躯体１に取り付けられる窓２からの屋外光を、建物躯体１内に構築されるユニットルーム３に設けた窓開口部４を介してユニットルーム３内部に導入するようにしたユニットルームと窓との接続構造であって、上記窓２のサッシ枠５を構成する上枠部６と左右の縦枠部７と下枠部８のうち、少なくとも左右いずれか一方の縦枠部７が、ユニットルーム３の窓開口部４が設けられる窓側壁面部９を挟んで相対向する左右の壁パネル１０,１０のいずれか一方の壁パネル１０の延長線上に位置し、且つ上枠部６が、ユニットルーム３の窓側壁面部９の上方に位置する天井パネル１１の延長線上に位置するように、上記窓開口部４が窓側壁面部９の所定位置に形成されている。上記一方の縦枠部７と一方の壁パネル１０との隙間を連続的に覆う縦長状の壁側の化粧カバー１２と、上記上枠部６と天井パネル１１との隙間を連続的に覆う横長状の天井側の化粧カバー１３とをそれぞれ設ける。上記壁側及び天井側の各化粧カバー１２,１３の背後にそれぞれ、サッシ枠５側に固定される固定部１６と、化粧カバー１２（１３）を取り付けるカバー取付け部１７と、化粧カバー１２（１３）で覆われた一方の壁パネル１０の端部１０ａ又は天井パネル１１の端部１１ａのいずれか一方が嵌め込まれるパネル嵌込み部１８とを一体に備えた化粧カバー受材１４,１５を設けてなることを特徴としている。
【０００８】
このような構成とすることで、一方の壁パネル１０を壁側の化粧カバー１２を介して一方の縦枠部７に至る部分まで連続して納めることができると共に、天井パネル１１を天井側の化粧カバー１３を介して上枠部６に至る部分まで連続して納めることができる。しかもサッシ枠５の少なくとも一方の縦枠部７が一方の壁パネル１０の延長線上に位置し且つ上枠部６が天井パネル１１の延長線上に位置すればよく、サッシ枠５の他方の縦枠部７及び下枠部８の位置は任意に設定変更自在となり、窓２の大きさの自由度が増す。さらに、化粧カバー１２,１３を支持する化粧カバー受材１４,１５を利用して、一方の壁パネル１０と天井パネル１１の各端部１０ａ,１１ａをそれぞれサッシ枠５に固定できるようになる。つまりサッシ枠５と化粧カバー１２,１３と一方の壁パネル１０と天井パネル１１との相対位置がそれぞれ決まるので、仮りに窓２の取り付け精度に誤差が生じている場合であっても、その誤差を化粧カバー受材１４,１５にて容易に吸収できるようになる。
【０００９】
また、上記化粧カバー１２（１３）の室内側の縁部に、上記一方の壁パネル１０又は天井パネル１１のいずれか一方のパネル表面１０ｂ（１１ｂ）に弾性的に押接される覆い片１９を形成し、化粧カバー１２（１３）のサッシ枠５側の縁部に、縦枠部７又は上枠部６のいずれか一方と面一状に連続する連続片２０を形成するのが好ましく、この場合、ユニットルーム３と窓２との接続部分から建物内部への水の浸入を覆い片１９と連続片２０とを備える化粧カバー１２,１３を用いて確実に防止できるようになる。
【発明の効果】
【００１０】
請求項１記載の発明にあっては、ユニットルームの壁パネル・天井パネルと窓との接続部分を連続性及び外観性に優れた納まり構造にできる。しかも任意の大きさの窓に対応可能となり、窓寸法の自由度が増すものであり、さらに窓の取り付け精度の誤差を化粧カバー受材にて吸収できて、ユニットルームと窓との接続作業をきわめて容易に行えるものである。
【００１１】
請求項２記載の発明にあっては、覆い片と連続片とを備えた化粧カバーによって接続部分から建物内部への水の浸入を確実に防止できるものである。
【図面の簡単な説明】
【００１２】
【図１】本発明の一実施形態に用いる窓付き浴室の正面断面図である。
【図２】図１のＡ−Ａ線から見た水平断面図である。
【図３】図１のＢ−Ｂ線から見た垂直断面図である。
【図４】同上の化粧カバーと化粧カバー受材との分解図である。
【図５】本発明の他の実施形態の説明図である。
【発明を実施するための形態】
【００１３】
以下、本発明を添付図面に示す実施形態に基いて説明する。
【００１４】
建物躯体１の内部に構築されるユニットルーム３として、本実施形態では浴室３Ａを例示する。
【００１５】
図１は浴室３Ａ全体を示し、図２は壁パネル１０とサッシ枠５の縦枠部７との納まり構造を示し、図３は天井パネル１１とサッシ枠５の上枠部６との納まり構造を示し、図４は化粧カバー受材１４（１５）への化粧カバー１２（１３）及び壁パネル１０（天井パネル１１）の取り付け方法を示している。
【００１６】
本例の浴室３Ａは、図１に示すように、窓開口部４が設けられる窓側壁面部９と、この窓側壁面部９を挟んで相対向する左右の壁パネル１０,１０と、天井パネル１１と、浴槽２２の載置部と洗い場２３とが隣接配置された床パン２４とを備えている。なお図１中の４０は浴室カウンター、４１はカランである。
【００１７】
本例の窓２は、図２に示すように、建物躯体１の外壁１ａに設けた躯体開口部２５に取り付けられる。
【００１８】
窓２のサッシ枠５は、建物躯体１側にネジ２６で固定される基枠部２１と、基枠部２１に固定される上枠部６、下枠部８、左右の縦枠部７とで構成される。サッシ枠５内部にガラス等のパネル体２８を開閉自在に取り付けて窓２が構成される。図２、図３中の２７は縦枠部７（上枠部６）を基枠部２１に固定するネジである。
【００１９】
ここでは、窓開口部４は、図１に示すように、浴室３Ａの窓側壁面部９の左側及び上側に寄せた位置に形成されている。そして図２に示す左側の縦枠部７が、浴室３Ａの左側の壁パネル１０の延長線上に位置しており、且つ、図３に示す上枠部６が、浴室３Ａの天井パネル１１の延長線上に位置している。本例では窓開口部４の大きさは、窓側壁面部９の全巾寸法の略半分の巾寸法と、窓側壁面部９の上下寸法の略半分の上下寸法とを有している。
【００２０】
以下において、左側の縦枠部７を単に「縦枠部７」として説明し、左側の壁パネル１０を単に「壁パネル１０」として説明する。
【００２１】
図２において、縦枠部７と壁パネル１０との隙間は、壁側の化粧カバー１２によって連続的に覆われている。この化粧カバー１２は縦枠部７の全長に亘るように縦長状（図２の紙面に対して垂直方向）に形成されており、室内側の縁部には壁パネル１０のパネル表面１０ｂに弾性的に押接される覆い片１９が形成され、サッシ枠５側の縁部には縦枠部７と面一状に連続する連続片２０が形成されている。
【００２２】
図３において、上枠部６と天井パネル１１との隙間は、天井側の化粧カバー１３によって連続的に覆われている。この化粧カバー１３は上枠部６の全長に亘るように横長状（図３の紙面に対して垂直方向）に形成されており、室内側の縁部には天井パネル１１のパネル表面１１ｂ）に弾性的に押接される覆い片１９が形成され、サッシ枠５側の縁部には上枠部６と面一状に連続する連続片２０が形成されている。
【００２３】
上記壁側及び天井側の各化粧カバー１２,１３はそれぞれ弾性材料で形成されており、その表面の色は、周囲のサッシ枠５や壁パネル１０、天井パネル１１の色に合わせてある。
【００２４】
さらに各化粧カバー１２,１３の背後には、それぞれ、化粧カバー受材１４,１５が配置されている。これら化粧カバー受材１４,１５は同じ構造を有している。
【００２５】
つまり、壁側の化粧カバー受材１４は、図４に示すように、サッシ枠５側に固定される固定部１６と、化粧カバー１２を取り付けるカバー取付け部１７と、化粧カバー１２で覆われた壁パネル１０の端部１０ａを嵌め込むパネル嵌込み部１８とが一体に設けられている。
【００２６】
一方、天井側の化粧カバー受材１５は、サッシ枠５側に固定される固定部１６と、化粧カバー１３を取り付けるカバー取付け部１７と、化粧カバー１３で覆われた天井パネル１１の端部１１ａを嵌め込むパネル嵌込み部１８とが一体に設けられている。
【００２７】
ここで、上記カバー取付け部１７は、化粧カバー１２（１３）の背面から突設された鋸歯状凹凸部３０を備えた被取付け部３１が図４の矢印方向ｂに圧入されるＵ字溝状に形成されており、このＵ字溝状のカバー取付け部１７の内面に設けた鋸歯状凹凸部３２と上記被取付け部３１の鋸歯状凹凸部３０とが互いに噛み合うことで化粧カバー１２（１３）が化粧カバー受材１４（１５）に対して抜け止め保持されるようになる。
【００２８】
上記パネル嵌込み部１８は、壁パネル１０の端部１０ａ（又は天井パネル１１の端部１１ａ）を図４の矢印方向ａに深浅自在に嵌め込むことができるスリット溝状に形成されている。
【００２９】
上記化粧カバー受材１４,１５には、化粧カバー１２（１３）の連続片２０の背面に向かって突出する支持リブ３３が設けられており、化粧カバー１２（１３）の被取付け部３１をカバー取付け部１７に取り付けた状態で支持リブ３３が連続片２０の背面に当たり、これにより連続片２０が縦枠部７（上枠部６）と面一状に連続して保持されるようになっている。
【００３０】
しかして、上記構成のサッシ枠５の左側の縦枠部７を左側の壁パネル１０の延長線上に配置して、化粧カバー１２の覆い片１９を壁パネル１０のパネル表面１０ｂに弾性的に押接させ且つ化粧カバー１２の連続片２０を縦枠部７の端面に面一状に連続させたことにより、壁パネル１０を化粧カバー１２を介して縦枠部７に至る部分まで連続して接続できるようになる。一方、サッシ枠５の上枠部６を天井パネル１１の延長線上に配置して、化粧カバー１３の覆い片１９を天井パネル１１のパネル表面１１ｂに弾性的に押接させ且つ化粧カバー１３の連続片２０を上枠部６の端面に面一状に連続させたことにより、天井パネル１１を化粧カバー１３を介して上枠部６に至る部分まで連続して接続できるようになる。この結果、浴室３Ａと窓２との接続部分を連続性及び外観性に優れた納まり構造にできる利点がある。
【００３１】
しかも、サッシ枠５の少なくとも一方の縦枠部７が一方の壁パネル１０の延長線上に位置し、且つ上枠部６が、天井パネル１１の延長線上に位置すればよく、サッシ枠５の他方の縦枠部７及び下枠部８の位置はいずれも任意に設定変更自在となるため、任意の大きさのサッシ枠５に対応可能となり、窓２の大きさの自由度が増す利点がある。
【００３２】
さらに、サッシ枠５に固定される壁側の化粧カバー受材１４にて壁側の化粧カバー１２を支持し、さらに化粧カバー受材１４に設けたパネル嵌込み部１８に壁パネル１０の端部１０ａを嵌め込むだけで、化粧カバー受材１４を利用してサッシ枠５と壁パネル１０との相対位置が容易に決まる。同様に、サッシ枠５に固定される天井側の化粧カバー受材１５にて天井側の化粧カバー１３を支持し、さらに化粧カバー受材１５に設けたパネル嵌込み部１８に天井パネル１１の端部１１ａを嵌め込むだけで、化粧カバー受材１５を利用してサッシ枠５と天井パネル１１との相対位置が容易に決まる。従って、窓２を建物躯体１に取り付ける際に仮りに取り付け精度に誤差が生じている場合であっても、その誤差を化粧カバー受材１４,１５にて吸収できるようになり、浴室３Ａと窓２との接続作業をきわめて容易に行える利点がある。
【００３３】
また本例では、化粧カバー１２（化粧カバー１３も同様）の背面にそれぞれ突出する被取付け部３１を化粧カバー受材１４のＵ字溝状のカバー取付け部１７に押し込むだけで、鋸歯状凹凸部３０,３２同士が噛み合って化粧カバー１２が化粧カバー受材１４に抜け止めされるので、化粧カバー１２の取り付けが容易に行える利点もある。
【００３４】
さらに本例では、化粧カバー１２（化粧カバー１３も同様）の覆い片１９を壁パネル１０のパネル表面１０ｂに弾性的に押接させることで、この覆い片１９の部分から化粧カバー１２の背後への水の浸入を防止できるようになり、さらに化粧カバー１２の連続片２０を縦枠部７と面一状に連続させることにより、この連続片２０の部分から化粧カバー１２の背後への水の浸入を防止できるようになる。
【００３５】
また万が一、化粧カバー１２（化粧カバー１３も同様）の覆い片１９の部分から水が浸入した場合でも、その浸入した水は化粧カバー受材１４のカバー取付け部１７で遮られるようになり、一方、化粧カバー１２の連続片２０の部分から水が浸入した場合でも、その水は化粧カバー受材１４の支持リブ３３で遮られるようになり、結果、化粧カバー受材１４のカバー取付け部１７と支持リブ３３とがそれぞれ水返し片としても機能する構造となる。
【００３６】
前記実施形態では、窓開口部４を窓側壁面部９の左側（図１の左側）に寄せて形成した場合を例示したが、これとは逆に、窓側壁面部９の右側（図１の右側）に寄せて形成してもよい。
【００３７】
さらに他例として、図５に示すように、窓開口部４を浴室３Ａの窓側壁面部９の全巾方向に至るような巾広に形成してもよいものであり、浴室３Ａと窓２との接続部分を連続性及び外観性に優れた納まり構造にできる効果に加えて、浴室３Ａの空間的な広がりや開放感が得られるようになる。なお図５の場合における右側の壁パネル１０と窓２との接続構造は、前記図２に示す左側の壁パネル１０と窓２との接続構造と同一とすればよい。
【００３８】
本発明は、浴室３Ａに限らず、建物内部に構築される窓開口部付きユニットルーム全般に広く適用可能である。
【符号の説明】
【００３９】
１  建物躯体
２  窓
３  ユニットルーム
３Ａ  浴室
４  窓開口部
５  サッシ枠
６  上枠部
７  縦枠部
８  下枠部
９  窓側壁面部
１０  壁パネル
１０ａ  端部
１１  天井パネル
１１ａ  端部
１２  壁側の化粧カバー
１３  天井側の化粧カバー
１４  壁側の化粧カバー受材
１５  天井側の化粧カバー受材
１６  固定部
１７  カバー取付け部
１８  パネル嵌込み部
１９  覆い片
２０  連続片
【図１】
2011006931.tif 000003
【図２】
2011006931.tif 000004
【図３】
2011006931.tif 000005
【図４】
2011006931.tif 000006
【図５】
2011006931.tif 000007